(57)【要約】【課題】平均発光輝度を維持しつつ、瞬間発光輝度を低減させて有機ＥＬの輝度劣化を低減する。【解決手段】１フレーム分の画像データに対し、有機ＥＬパネル３０において信号線と交わるＭ本の各走査線のうち、データが同じ走査線の場所を１フレーム毎に判定する手段（１３０）を有し、この手段にて取得された走査線の場所を出力する画像判定部４３と、画像判定部４３から入力された走査線の情報に基づき、各走査線を駆動するデューティ数をＭからＭ’に小さくして、走査期間を相対的に引き延ばすと共に、ｍ本の走査線を同時に走査する際に信号線に与える電流信号を電流値を可変させる駆動データ生成部４４と、を備える。【選択図】図１
2007264200.tif 000002
【特許請求の範囲】
【請求項１】
マトリクス状に配置された複数本数ずつの陽極線および陰極線の各交点に発光素子が形成されており、陽極線および陰極線のうち一方が走査線とされ、他方が信号線とされた有機ＥＬパネル（３０）に対し、走査線の数をＭとし、信号線の数をＮとしたとき、Ｍ本の走査線を周期的に走査しながら、Ｎ本の信号線のうち所望の信号線に電流信号を与え、それら走査線および信号線の交点位置に形成された発光素子を発光させることにより画像表示を行う有機ＥＬ表示装置の駆動方法であって、
画像の１フレーム分の画像データにおいて、信号線と交わるＭ本の各走査線のうち、この信号線に電流信号を与えるデータが同じ走査線がｍ本存在する場合、各走査線を駆動するデューティ数をＭからＭ’に小さくして、前記一信号線上に発光素子が存在する走査線に対する走査期間を相対的に引き延ばすと共に、前記一信号線に電流信号を与える際、前記ｍ本の走査線を同時に走査することを特徴とする有機ＥＬ表示装置の駆動方法。
【請求項２】
マトリクス状に配置された複数本数ずつの陽極線および陰極線の各交点に発光素子が形成されており、陽極線および陰極線のうち一方が走査線とされ、他方が信号線とされた有機ＥＬパネル（３０）に対し、走査線の数をＭとし、信号線の数をＮとしたとき、Ｍ本の走査線を周期的に走査しながら、Ｎ本の信号線のうち所望の信号線に電流信号を与え、それら走査線および信号線の交点位置に形成された発光素子を発光させることにより画像表示を行う有機ＥＬ表示装置の駆動方法であって、
画像の１フレーム分の画像データにおいて、信号線と交わるＭ本の各走査線のうち、この一信号線に電流信号を与えるデータが同じ走査線がｍ本存在する場合、各走査線を駆動するデューティ数をＭからＭ’に小さくし、Ｍ本の走査線すべてをデューティ数Ｍで駆動する場合、Ｍ本すべての走査線をそれぞれ独立して走査したときの一走査線における瞬間発光輝度をＡ１とすると共にＭ本の走査線すべてをデューティ数Ｍで駆動する際の平均発光輝度をＡ１／Ｍと定義し、ｍ本の走査線を同時に走査したときのデューティ数をＭ’とし一走査線における瞬間発光輝度をＡ２とし、平均発光輝度をＡ２／Ｍ’と定義したとき、前記ｍ本の走査線を同時に走査したときの平均発光輝度Ａ２／Ｍ’が（Ａ２／Ｍ’）≧（Ａ１／Ｍ）の関係を満たす電流信号を前記一信号線に与えることを特徴とする有機ＥＬ表示装置の駆動方法。
【請求項３】
少なくとも互いに隣り合う２本以上の走査線を同時に走査することを特徴とする請求項１または２に記載の有機ＥＬ表示装置の駆動方法。
【請求項４】
マトリクス状に配置された複数本数ずつの陽極線および陰極線の各交点に発光素子が形成されており、陽極線および陰極線のうち一方が走査線とされ、他方が信号線とされた有機ＥＬパネル（３０）に対し、走査線の数をＭとし、信号線の数をＮとしたとき、Ｍ本の走査線を周期的に走査しながら、Ｎ本の信号線のうち所望の信号線に電流信号を与え、それら走査線および信号線の交点位置に形成された発光素子を発光させることにより画像表示を行う有機ＥＬ表示装置であって、
画像の１フレーム分の画像データにおいて、信号線と交わるＭ本の各走査線のうち、この信号線に電流信号を与えるデータが同じ走査線が同じとなる走査線の場所を１フレーム毎に判定する手段（１３０）を有し、この手段にて取得された走査線の数をｍとして出力する画像判定部（４３）と、
前記画像判定部から入力されたｍ本の走査線に基づき、前記各走査線を駆動するデューティ数をＭからＭ’に小さくして、前記信号線上に発光素子が存在する走査線に対する走査期間を相対的に引き延ばすと共に、前記ｍ本の走査線を同時に走査する際に前記信号線に電流信号を与える電流値を可変させる駆動データ生成部（４４）と、を備えることを特徴とする有機ＥＬ表示装置。
【請求項５】
前記画像判定部は、前記画像データが撮影手段で撮影されたものであるか否かを判定する画像判定手段（１１０）と、前記画像判定手段によって前記画像データが撮影手段で撮影されたものでないと判定された場合、前記Ｍ本の走査線から同時に走査する前記ｍ本の走査線を取得する走査線取得手段（１３０）と、を有することを特徴とする請求項４に記載の有機ＥＬ表示装置。
【請求項６】
前記有機ＥＬパネルに備えられ、温度に応じたレベルの信号を出力する温度検出部（３１）と、
この温度検出手段で検出された信号を温度に変換する温度判定部（４５）と、が備えられており、
前記駆動デューティ生成部は、前記温度判定部にて得られた温度が１００℃（分子鎖の一部が分子運動をし始める温度）を超える場合、前記有機ＥＬパネルの温度が１００℃を超えないように、前記信号線に与える電流信号を調整するようになっていることを特徴とする請求項４または５に記載の有機ＥＬ表示装置。
【請求項７】
前記温度検出部が前記有機ＥＬパネルの取り出し電極配線部に接続されたことを特徴とする請求項６記載の有機ＥＬ表示装置。
【請求項８】
電源部を含む駆動回路に温度に応じたレベルの信号を出力する温度検出部（３１）と、
この温度検出手段で検出された信号を温度に変換する温度判定部（４５）と、が備えられており、前記駆動デューティ生成部は、前記温度判定部にて得られた温度を超える場合、前記一信号線に与える電流信号を調整し判定値以下になるまで電流値を下げることを特徴とする請求項４ないし７のいずれか１つに記載の有機ＥＬ表示装置。
【請求項９】
前記温度判定部はドライバＩＣに備えたことを特徴する請求項８に記載の有機ＥＬ表示装置。
【請求項１０】
前記画像データが、前記撮影手段で撮影されたものであるか否かを判定し、前記画像データが前記撮影手段で撮影されたものである場合、前記Ｍ本の走査線すべてを独立して走査し、前記画像データが前記撮影手段で撮影されたものでない場合、前記Ｍ本の走査線の中から同時に走査する前記ｍ本の走査線の場所を取得して前記ｍ本の走査線を同時に走査することを特徴とする請求項４ないし９のいずれか１つに記載の有機ＥＬ表示装置。
【請求項１１】
車両の切り替えＳＷに同期して前記撮影手段を判断することを特徴とする請求項１０に記載の有機ＥＬ表示装置。
【請求項１２】
ｍ本の走査線を同時に走査するのではなく、ｍ本のうち２本以上の組を設け、その組のみで走査することを特徴とする請求項４ないし１１のいずれか１つに記載の有機ＥＬ表示装置。
【請求項１３】
１フレーム内に同時に走査する走査線の組が２種類以上あることを特徴とする請求項４ないし１２のいずれか１つに記載の有機ＥＬ表示装置。
【請求項１４】
前記データが同じ走査線とは非発光の状態も含むことを特徴とする請求項４ないし１３のいずれか１つに記載の有機ＥＬ表示装置。
【請求項１５】
固定画面の場合、画面を切り替えるタイミングの時のみ走査線取得手段（１３０）を動作させることを特徴とする請求項４ないし１４のいずれか１つに記載の有機ＥＬ表示装置。
【請求項１６】
Ｍ’＝Ｍ−ｍであることを特徴とする請求項４ないし１５のいずれか１つに記載の有機ＥＬ表示装置。
【発明の詳細な説明】
【技術分野】
【０００１】
本発明は、有機ＥＬ（エレクトロルミネッセンス）表示装置およびその駆動方法に関する。
【背景技術】
【０００２】
従来より、有機ＥＬパネルで画像表示する表示装置では、画像表示の際、有機ＥＬである発光素子に大きな瞬間発光輝度が必要であるため、発光素子の経年劣化に応じた輝度低下が促進されてしまうという問題点があった。
【０００３】
そこで、有機ＥＬパネルにおいて画像表示する際、部分的に高輝度表示を行うことで、瞬間発光輝度を低下させずに画像表示を行う表示装置が特許文献１で提案されている。具体的に、特許文献１では、マトリクス状に配置された複数本数ずつの陽極線および陰極線の各交点に発光素子が形成された有機ＥＬパネルと、ロウドライバを介して走査線（陰極線）を周期的に走査しながら任意の信号線（陽極線）にカラムドライバを介して電流信号を与え、走査線と陰極線との交点位置に形成された発光素子を発光させる制御回路と、を備えて構成される有機ＥＬ表示装置が提案されている。
【０００４】
このような有機ＥＬ表示装置において、制御回路は、走査線の１走査周期において駆動対象の発光素子が存在しない走査線がある場合に、当該発光素子が存在しない走査線についての走査を禁止することにより、１走査周期当たりの走査線数を低減させて駆動対象の発光素子が存在する走査線についての走査期間を相対的に引き延ばす制御を行う。これにより、印加電流を上げることなく、瞬間発光輝度を変化させずに有機ＥＬパネルの部分的な高輝度発光表示を行うようになっている。
【特許文献１】特開２００５−１５６９６０号公報
【発明の開示】
【発明が解決しようとする課題】
【０００５】
しかしながら、上述のように、発光素子である有機ＥＬは発光することにより輝度劣化を生じてしまう。この輝度劣化は、瞬間発光輝度が高いほど大きくなるため、上記従来の技術のように瞬間発光輝度を変化させないとしても、高い瞬間発光輝度が維持されたままである。したがって、従来技術では有機ＥＬの輝度劣化が起こり、輝度寿命も低下してしまう可能性がある。そこで、瞬間発光輝度を下げて画像表示することが考えられるが、瞬間発光輝度の低下に伴って、有機ＥＬパネル全体の輝度（平均発光輝度）が低下してしまい、画像が見にくくなってしまう可能性がある。したがって、単に瞬間発光輝度を下げる制御は好ましくない。
【０００６】
なお、有機ＥＬは有機材料でもあるので温度にも弱く、例えば１００℃を超える状況では輝度劣化が増大することが知られている。具体的には、パネル温度が１００℃を超える場合は使用している有機材料の分子鎖の一部が分子運動をし始めるため、有機薄膜が物理的に変質するためである。さらには輝度寿命だけでなく、局所的に上下間電極が近接し、上下電極間の短絡が発生する場合が生じるので好ましくない。
【０００７】
本発明は、上記点に鑑み、平均発光輝度を維持しつつ、瞬間発光輝度を低減させて有機ＥＬの輝度劣化を低減することができる有機ＥＬ表示装置およびその駆動方法を提供することを目的とする。
【課題を解決するための手段】
【０００８】
上記目的を達成するため、本発明の第１の特徴では、画像の１フレーム分の画像データにおいて、信号線と交わるＭ本の各走査線のうち、この信号線に電流信号を与えるデータ（状態）が同じ走査線（同じ発光素子を発光させる走査線）がｍ本存在する場合、各走査線を駆動するデューティ数をＭからＭ’に小さくして、信号線上に発光素子が存在する走査線に対する走査期間を相対的に引き延ばすと共に、信号線に電流信号を与える際、ｍ本（２本以上）の走査線を同時に走査する。
【０００９】
このように、信号線上と交わるｍ本の走査線に応じてデューティ数をＭからＭ’に小さくすることにより、同時に走査するｍ本の走査線の走査期間を長くする。これにより、Ｍ本の全走査線を独立して走査する際の各走査線における瞬間発光輝度（Ａ１）よりも、ｍ本を同時に走査する際の各走査線における瞬間発光輝度（Ａ２）を下げることができる。また、デューティ数をＭよりも小さいＭ’としているので、ｍ本の走査線を同時に走査した際の平均発光輝度（Ａ２／Ｍ’）を、Ｍ本の全走査線を走査した際の平均発光輝度（Ａ１／Ｍ）以上に維持することができる。したがって、平均発光輝度を維持しつつ瞬間発光輝度を低減でき、ひいては発光素子の輝度寿命を向上させることができる。
【００１０】
また、本発明の第２の特徴では、画像の１フレーム分の画像データにおいて、信号線と交わるＭ本の各走査線のうち、この信号線に電流信号を与えデータ（状態）が同じ走査線がｍ本存在する場合、各走査線を駆動するデューティ数をＭからＭ’に小さくし、Ｍ本の走査線すべてをデューティ数Ｍで駆動する場合、Ｍ本の走査線すべてをデューティ数Ｍで駆動する際の平均発光輝度Ａ１／Ｍとｍ本の走査線を同時に走査したときの平均発光輝度Ａ２／Ｍ’とが（Ａ２／Ｍ’）≧（Ａ１／Ｍ）の関係を満たす電流信号を一信号線に与える。
【００１１】
このようにすれば、ｍ本の走査線を同時に走査する場合の平均発光輝度Ａ２／Ｍ’を、Ｍ本すべての走査線を走査する場合の平均発光輝度Ａ１／Ｍ以上とすることができる。また、ｍ本の走査線を同時に走査する場合、Ａ２／Ｍ’およびＭ’＜Ｍの関係から瞬間発光輝度Ａ２の値を小さくすることができ、輝度劣化の防止を図ることができる。したがって、瞬間発光輝度Ａ２を低下させつつ、平均発光輝度を維持でき、ひいては発光素子の輝度寿命を向上させることができる。
【００１２】
このような方法では、ｍ本の走査線を同時に走査する際、少なくとも互いに隣り合う２本以上の走査線を同時に走査することができる。
このように、ｍ本の走査線を同時に走査する際、ｍ本すべてを同時に走査するのではなく、ｍ本のうち２本以上の組を設けて２本以上の走査線を同時に走査することもできる。なお、２本以上の各組をそれぞれ同時に走査しても構わない。
【００１３】
また、画像データが撮影手段で撮影されたものである場合、Ｍ本の走査線すべてを独立して走査し、画像データが撮影手段で撮影されたものでない場合、Ｍ本の走査線から同時に走査するｍ本の走査線の場所を１フレーム毎に判定してｍ本の走査線を同時に走査する。
【００１４】
このように、カメラ等の撮影手段で撮影されたカメラ画像のように解像度を必要とする画像を表示する場合、すべての走査線を走査することにより、画像表示の見栄えを確保できる。また、カメラ画像ではなく警告画像等の表示の場合（表示する画像の解像度を必要としない場合）、すべての走査線を走査する必要はないため、走査する走査線の数を減らし、同時に走査することにより、平均発光輝度を維持しつつ瞬間発光輝度を下げることができる。
【００１５】
また、有機ＥＬパネルの温度が１００℃を超える場合、有機ＥＬパネルの温度が１００℃を超えないように、一信号線に与える電流信号を調整する。
【００１６】
このように、有機ＥＬパネルの温度が１００℃を超えないようにすることにより、温度に応じて起こる輝度劣化の防止を図ることができる。このような場合、例えば温度検出部（３１）にて有機ＥＬパネルの温度に応じた物理量を測定し、温度判定部（４５）でその物理量に相当する温度を求め、その温度が１００℃を超える場合、駆動データ生成部（４４）にて一信号線に与える電流信号を下げる制御を行うようにすれば良い。
【００１７】
なお、パネルにおいて発光素子の近くだけでなく、取り出し配線部の温度で判断してもよい。また、駆動回路部、特にドライバＩＣの温度で判断しても良い。このように、ドライバＩＣでパネルの温度を推測できる。有機ＥＬパネルの場合は、表示データにより発熱に分布ができる場合はあり、正確に測れない可能性があるが、ドライバＩＣの場合は、電流が必ずそこをとおり集中しているため、温度検出部を複数用意することも不要である。
【００１８】
本発明の第３の特徴では、１フレーム分の画像データにおいて、信号線と交わるＭ本の各走査線のうち、この信号線に電流信号を与えるデータ（状態）が同じ走査線の場所を１フレーム毎に判定する手段（１３０）を有し、この手段にて判定された走査線の場所を出力する画像判定部（４３）と、画像判定部から入力された走査線に基づき、各走査線を駆動するデューティ数をＭからＭ’に小さくして、信号線上に発光素子が存在する走査線に対する走査期間を相対的に引き延ばすと共に、ｍ本の走査線を同時に走査する際に信号線に電流信号を与える電流値を可変させる駆動データ生成部（４４）と、を備える。
【００１９】
このような構成により、走査線のすべての数Ｍをそれよりも小さいＭ’に減少させることができ、瞬間発光輝度を下げる制御を可能にすることができる。
【００２０】
この場合、画像判定部は、画像データが撮影手段で撮影されたものであるか否かを判定する画像判定手段（１１０）と、画像判定手段によって画像データが撮影手段で撮影されたものでないと判定された場合、Ｍ本の走査線から同時に走査する前記ｍ本の走査線を取得する走査線の場所を１フレーム毎に取得する手段（１３０）と、を有する構成であることが望ましい。
【００２１】
また、駆動デューティ生成部は、温度判定部（４５）から入力される温度が１００℃を超える場合、有機ＥＬパネルの温度が１００℃を超えないように一信号線に与える電流信号を調整する。
【００２２】
これにより、温度に応じて生じる発光素子の輝度劣化の防止を図ることが出来る。
【００２３】
なお、上記各手段の括弧内の符号は、後述する実施形態に記載の具体的手段との対応関係を示すものである。
【発明を実施するための最良の形態】
【００２４】
以下、本発明の実施形態について図に基づいて説明する。なお、以下の各実施形態相互において、互いに同一もしくは均等である部分には、図中、同一符号を付してある。また、以下で示される有機ＥＬ表示装置は、例えば車両に搭載され、カメラ（本発明の撮影手段に相当）で撮影した映像（すなわち複数の画像）やウォーニング画像等を表示するものとして用いられる。
【００２５】
（第１実施形態）
以下、本発明の第１実施形態について図を参照して説明する。
【００２６】
図１は、本発明の第１実施形態に係る有機ＥＬ表示装置のブロック図である。この図に示されるように、有機ＥＬ表示装置Ｓ１は、電源回路１０と、駆動回路２０と、有機ＥＬパネル３０と、制御回路４０と、を備えて構成されている。
【００２７】
電源回路１０は、制御回路４０および駆動回路２０をそれぞれ駆動するための一定電圧を生成するものである。すなわち、電源回路１０は、例えば車両に搭載された車両用バッテリから入力した電圧から、駆動回路２０や制御回路４０で必要となる一定電圧を生成し、駆動回路２０および制御回路４０にそれぞれ出力する。
【００２８】
駆動回路２０は、制御回路４０（より具体的には後述する駆動データ生成部４４）から入力される指令に基づいて有機ＥＬパネル３０に画像表示を行うものであり、有機ＥＬパネル３０に電流信号を与えるカラムドライバ２１および走査線信号を与えるロウドライバ２２を備えて構成されている。本実施形態では、駆動回路２０は、１フレームを例えば１２０Ｈｚの周期で駆動表示する。なお、有機ＥＬパネル３０に表示させた画像が人の目に点滅して（ちらついて）見えないようにするため、９０Ｈｚ以上で駆動表示することが望ましい。
【００２９】
有機ＥＬパネル３０は、画像表示のための画面となるものであり、上記駆動回路２０のカラムドライバ２１およびロウドライバ２２の駆動によって画像表示を行うものである。このような有機ＥＬパネル３０には、マトリクス状に配置された複数本数ずつ（例えばＭ×Ｎ本：Ｍ、Ｎは２以上の整数）の陽極線および陰極線の各交点に発光素子が形成されており、陽極線および陰極線の一方（例えば陰極線）が走査線とされ、他方（例えば陽極線）が信号線とされている。
【００３０】
上記のような有機ＥＬパネル３０の駆動時には、Ｍ本の走査線を駆動回路２０内のロウドライバ２２により周期的に走査しながら、Ｎ本の信号線のうち所望の信号線に駆動回路２０内のカラムドライバ２１から電流信号を与え、それら走査線および信号線の交点位置に形成された発光素子を発光させることにより画像表示を行う。
【００３１】
制御回路４０は、外部から入力される画像データを処理して上記駆動回路２０に出力するものであり、画像データ受信部４１と、画像メモリ４２と、画像判定部４３と、駆動データ生成部４４と、を備えて構成されている。
【００３２】
画像データ受信部４１は、外部装置（例えば画像処理回路、カメラ等）から画像データを入力するものである。この画像データは、有機ＥＬパネル３０に対応したＭ行×Ｎ列分のデータであり、本実施形態では２値画像のためのオン／オフ階調のデータである。この画像データ受信部４１に入力された画像データは、記憶媒体である画像メモリ４２に格納される。
【００３３】
画像判定部４３は、Ｍ行で構成される画像の１フレーム分の画像データにおいて、画像がウォーニング画像等のものであるのかまたはカメラで撮影されたものであるのかを判定する機能や、１フレームを画像表示するに際し、走査線Ｍ本のうちどこの走査線を同時に走査するかを判定する機能を有するものである。また、この画像判定部４３には、画像データ受信部４１に入力された画像データがカメラ画像のものであることを示す外部信号が入力されるようになっており、画像判定部４３は、この外部信号の入力に基づいて、画像データがカメラ画像のものであるか否かを判定するようになっている。
【００３４】
具体的に、画像判定部４３は、画像メモリ４２から１フレーム分の画像データを読み出し、外部信号の入力を判定基準として、１フレーム分の画像データがウォーニング画像等の画像であるのか、またはカメラ画像であるのかを判定する。本実施形態では、外部信号として、例えばシフトポジション（Ｒ、Ｄなど）を示す信号、ナイトビューの動作信号、ＮＴＳＣ信号（ビデオ信号）等の信号が画像判定部４３に入力されるようになっている。
【００３５】
例えば、シフトポジションを示す信号において、ギアがＲになっている場合の信号が画像判定部４３に入力された場合、有機ＥＬ表示装置Ｓ１はバックモニタとして機能するため、車両の後方の景色が撮影された画像データが画像データ受信部４１に入力されることとなる。したがって、画像判定部４３は、Ｒのシフトポジションを示す信号が入力された場合、画像データがカメラ画像のものであると判定する。また、ナイトビューの動作信号が入力された場合、カメラで車両前方が撮影された画像データが画像データ受信部４１に入力されるため、画像判定部４３は画像データがカメラ画像のものであると判定する。このように、画像判定部４３に外部信号が入力された場合、画像判定部４３は画像データ受信部４１に入力された画像データはカメラ画像のものであると判定する。
【００３６】
また、画像判定部４３は、画像データがカメラ画像でない場合（すなわちウォーニング画像等の画像である場合）、Ｍ行で構成される１フレーム分の画像データから、一走査線上の発光素子のオン（発光）の信号線の位置が同じ走査線があるか否かを判定し、Ｍ本の走査線の中から同時に走査する走査線およびその数Ｍ’（＜Ｍ）を取得する。
【００３７】
上記判定によって、カメラ画像を表示させる場合、画像判定部４３はカメラ画像の画像データ（走査線の数Ｍ）を駆動データ生成部４４に出力する。また、ウォーニング画像等の画像を表示させる場合、画像判定部４３は、有機ＥＬパネル３０のＭ本の走査線のうち同時に走査する走査線の数ｍや走査線の位置、対応したウォーニング画像等の画像の画像データを駆動データ生成部４４に出力する。
【００３８】
駆動データ生成部４４は、画像判定部４３から入力される走査すべき走査線の数や位置、画像データ（Ｍ行×Ｎ列分またはｍ行×Ｎ列分、オン／オフ階調）に基づき、駆動回路２０を駆動して有機ＥＬパネル３０に画像表示させる駆動データ（駆動デューティ比、瞬間発光輝度）を生成するものである。この駆動データ生成部４４の作動については、後で詳しく説明する。
【００３９】
上記構成を有する制御回路４０は、例えばマイクロコンピュータ等で構成される。以上が、本実施形態に係る有機ＥＬ表示装置Ｓ１の全体構成である。なお、有機ＥＬパネル３０、駆動回路２０、制御回路４０、および電源回路１０は例えばモジュール化されている。
【００４０】
次に、上記有機ＥＬ表示装置Ｓ１の作動について、図を参照して説明する。まず、図１に示されるように、有機ＥＬ表示装置Ｓ１の制御回路４０の画像データ受信部４１に外部装置から画像データが入力され、この画像データは画像メモリ４２に格納される。
【００４１】
続いて、画像判定部４３にて画像メモリ４２に格納された１フレーム分の画像データが読み出される。そして、１フレームを構成するＭ本の走査線に対し、その数Ｍを減らして走査することができるか否かが判定される。このことについて、図２を参照して説明する。図２は、制御回路４０の画像判定部４３において、同時に走査する走査線の数を減らす内容を表すフローチャートである。このフローは、画像判定部４３が画像メモリ４２に１フレーム分の画像データを読み出した後、スタートする。
【００４２】
まず、ステップ１１０では、画像判定部４３に読み出された１フレームの画像データがカメラ画像のものであるか否かが判定される（画像判定手段）。これは、上述のように、外部から外部信号が入力されたか否かによって判定される。そして、画像データがカメラ画像のものである場合、ステップ１２０に進む。また、画像データがカメラ画像のものでない場合、ステップ１３０に進む。
【００４３】
ステップ１２０では、上記ステップ１１０で画像データがカメラ画像であると判定された場合、画像メモリ４２から読み出した１フレームの画像データが駆動データ生成部４４に出力される。そして、フローチャートは終了する。
【００４４】
ステップ１３０では、ステップ１１０で画像データがカメラ画像でないと判定された場合、１フレームの画像表示に際し、有機ＥＬパネル３０のＭ本の走査線のうち同時に走査する走査線の場所情報の取得が行われる（走査線判定手段）。
【００４５】
具体的には、画像判定部４３において、１走査周期分（１フレーム分）の画像データにおけるＭ本の走査線毎に、走査線上の発光素子のオン（発光）の信号線の位置が同じものがあるかが判定される。すなわち、一信号線と交わるＭ本の各走査線のうち、この一信号線に電流信号を与えることで発光素子を発光させる走査線があるかが判定される。そして、走査線上の発光素子のオン（発光）の信号線の位置が同じ走査線とその数ｍのデータが取得される。本ステップにより、Ｍ本の走査線で構成される１フレームにおける画像データは、Ｍ本よりも少ないＭ’本で構成されることとなる。
【００４６】
このようにして得られた１フレームにおける画像データの走査線数は駆動データ生成部４４に出力される。そして、本フローチャートは終了する。
【００４７】
次に、駆動データ生成部４４では、画像判定部４３から入力された画像データや走査線の位置、数に基づいて、駆動回路２０を駆動することで有機ＥＬパネル３０に画像を表示させるための駆動データが生成される。
【００４８】
具体的に、本実施形態では、駆動データとして駆動デューティ比および瞬間発光輝度のデータが生成される。まず、駆動デューティ比を走査すべき走査線の数に応じて決定する。すなわち、カメラ画像を表示する場合では、１フレームのＭ本の走査線すべてを独立して走査するため、駆動デューティ比は１／Ｍとなり、１周期における１走査線の駆動時間が１／Ｍとなる。
【００４９】
また、ウォーニング画像等の画像を表示する場合では、上述のように、走査すべき走査線（ｍ本）と走査しない走査線とがあるので、１フレームにおいてＭ’（＜Ｍ）本の走査線を走査すれば良い。したがって、駆動デューティ比は１／Ｍ’となり、１周期における１走査線の駆動時間が１／Ｍ’となる。この駆動時間１／Ｍ’は、Ｍ本の走査線すべてを走査した場合（１／Ｍ）よりも長くなる。このようにして、走査する走査線の数に応じた駆動デューティ比が取得される。
【００５０】
そして、１走査線における駆動デューティ比が１／Ｍの状態（全部の走査線を独立で走査する状態：カメラ画像を表示する駆動方法）での各走査線の瞬間発光輝度をＡ１とすると共に、ｍ本の走査線を同時に走査させたとき各走査線の瞬間発光輝度をＡ２（＜Ａ１）とする。
【００５１】
すなわち、駆動データ生成部４４では、上記のようにして画像データの種類（カメラ画像またはウォーニング画像等の画像）に応じてそれぞれ駆動デューティ比が求められる。また、瞬間発光輝度Ａ１、Ａ２は、有機ＥＬを駆動する電流値に比例した物理量であるので、その比例関係から各瞬間発光輝度Ａ１、Ａ２に応じた電流値が求められる。なお、駆動データ生成部４４には、瞬間発光輝度と電流値との関係式もしくはデータマップが備えられており、駆動データが取得される際に用いられる。
【００５２】
本実施形態では、Ｍ本すべての走査線を走査する場合（駆動デューティ比が１／Ｍの場合）、１走査線の瞬間発光輝度Ａ１は例えば６４００ｃｄ／ｍ２である。したがって、瞬間発光輝度が６４００ｃｄ／ｍ２に応じた電流値が取得される。
【００５３】
また、Ｍ’本の走査線を走査する場合の一走査線の瞬間発光輝度Ａ２は、平均発光輝度に基づいて、上記瞬間発光輝度Ａ１から次のようにして求められる。平均発光輝度とは、１フレームが表示された際、人が目視する輝度に相当し、駆動デューティ比に瞬間発光輝度を乗じた値に相当する。すなわち、本実施形態では、Ｍ本すべての走査線を走査させた場合の平均発光輝度（開口率１００％の場合）はＡ１／Ｍとなり、Ｍ’本の走査線を走査させた場合の平均発光輝度はＡ２／Ｍ’となる。そして、上記Ｍ’、Ｍの関係から、Ａ２／Ｍ’≧Ａ１／Ｍの関係を満たすようにする。
【００５４】
例えば、６４（＝Ｍ）本の走査線からなる有機ＥＬパネル３０（瞬間発光輝度は６４００ｃｄ／ｍ２＝Ａ１）である場合、平均発光輝度は１００ｃｄ／ｍ２となる。また、画像判定部４３によって走査する走査線の数が３２（＝ｍ）本である場合、Ｍ’＝Ｍ−ｍとすると上記関係式から、３２００ｃｄ／ｍ２≦Ａ２＜６４００ｃｄ／ｍ２となる。すなわち、ｍ本の走査線を走査する場合の瞬間発光輝度Ａ２は３２００ｃｄ／ｍ２〜６３９９ｃｄ／ｍ２であり、その瞬間発光輝度Ａ２に対応した平均発光輝度は１００〜１９９ｃｄ／ｍ２となる。
【００５５】
つまり、走査する走査線の数がＭからｍに減少したとしても、Ｍ本すべてを独立して走査した場合の平均発光輝度と同じレベルの平均発光輝度を維持することができ、Ｍ本すべてを独立して走査したときの一走査線の瞬間発光輝度Ａ１よりも低い瞬間発光輝度Ａ２で発光させることができる。
【００５６】
したがって、画像判定部４３でウォーニング画像等の画像を表示する判定がなされた場合、駆動データ生成部４４では、ｍ本の走査線を同時に走査させたときの１走査線の平均発光輝度が、Ｍ本すべてを独立して走査したときの１フレームの平均発光輝度以上となり、かつ、瞬間発光輝度Ａ１よりも低い輝度の瞬間発光輝度Ａ２が取得される。そして、駆動データ生成部４４では、このようにして得られた瞬間発光輝度Ａ２に相当する電流信号、すなわち信号線に流すための電流信号が取得される。
【００５７】
以上のようにして、駆動データ生成部４４でＭ本またはｍ本の走査線を走査する場合の駆動デューティ比および瞬間発光輝度に応じた電流信号がそれぞれ駆動データとして取得され、画像データや走査する走査線の位置等のデータと共に出力される。
【００５８】
続いて、駆動回路２０では、駆動データ生成部４４から入力された駆動データ、画像データ等に基づいて、カラムドライバ２１から電流信号が出力されると共に、ロウドライバ２２から走査信号が出力され、有機ＥＬパネル３０が駆動される。これにより、カメラ画像が表示される場合、Ｍ本すべての走査線が独立して走査されてカメラ画像が表示される。一方、ウォーニング画像等の画像が表示される場合、Ｍ本よりも少ないｍ本の走査線が同時に走査されてウォーニング画像等の画像が表示される。このようにして、有機ＥＬパネル３０にて画像表示がなされる。以上の作動は１フレームごとに繰り返し行われる。
【００５９】
以上説明したように、本実施形態では、有機ＥＬパネル３０が有するＭ本の走査線群の走査周期において、必要に応じていくつかの走査線ｍ本を同時に駆動させることが特徴となっている。すなわち、走査する走査線の数が、通常時のＭ本から、駆動対象の発光素子が存在する走査線数Ｍ’本まで減少させることで、走査線を駆動するデューティ数をＭからＭ’に小さくする。そして、１走査周期当たりの走査線数を低減させて駆動対象の発光素子が存在する走査線についての走査期間を相対的に引き延ばす制御を行う。
【００６０】
このようにして、ｍ本の走査線を走査する場合における平均発光輝度を、Ｍ本すべての走査線を走査する場合の平均発光輝度と同等以上にすることにより、Ｍ本すべての走査線を走査するときの瞬間発光輝度Ａ１よりも、ｍ本の走査線を走査するときの瞬間発光輝度Ａ２を低下させることができる。したがって、発光素子（有機ＥＬ）の輝度劣化を低減することができ、ひいては発光素子の長寿命化を図ることができる。以上のようにして、Ｍ本すべての走査線を独立で走査する場合に比べて、有機ＥＬパネル３０の見栄えを低下させることなく、有機ＥＬの輝度寿命を向上させることができる。
【００６１】
（第２実施形態）
本実施形態では、第１実施形態と異なる部分についてのみ説明する。上記第１実施形態では、Ｍ本すべての走査線をＭ’本に減少させて同時に走査する実施形態について説明したが、本実施形態では、隣り合う２本の走査線を同時に走査するなど駆動データ生成部４４にＭ本の各走査線に対してあらかじめセットとなる走査線が設定されている。ここで、セットとなる走査線とは、例えば互いに隣り合う走査線同士や、近接する複数本の走査線同士を指す。このような走査線のセットが例えば駆動データ生成部４４にあらかじめ設定されている。
【００６２】
そして、画像判定部４３から入力される走査線のデータに応じて、どの走査線がセットで同時に走査されるかが決められ、その決定に応じて駆動回路２０で駆動するためのデータが生成される。
【００６３】
以下、有機ＥＬパネル３０が２５６ライン（信号線）×６４ライン（走査線）からなり、平均発光輝度が１００ｃｄ／ｍ２の場合の具体例について説明する。画像データがカメラ画像の場合であって、すべての信号線および走査線を独立で駆動し、ウォーニング画像を表示する場合、隣接する２つの走査線を同時に選択しながら駆動する。すなわち、ウォーニング画像では縦２ドットをあたかも１ドットとみなして、２５６ライン（信号線）×３２ライン（走査線）の画像を表示する。そして、すべての信号線および走査線を独立で駆動する場合と２つの走査線を束ねて駆動する場合との発光画素に流す一信号線当たりの電流を同じにしておけば、
・  駆動デューティ比は、１／６４から１／３２になる。
・  瞬間発光輝度Ａ２は、６４００ｃｄ／ｍ２から３２００ｃｄ／ｍ２≦Ａ２＜６４００ｃｄ／ｍ２になる
・  平均発光輝度（開口率１００％の場合）は、１００ｃｄ／ｍ２から１００ｃｄ／ｍ２≦（Ａ２／ｍ）＜２００ｃｄ／ｍ２になる。
【００６４】
このとき、同時に、駆動回路２０の定電流設定値を切り替えて３２００ｃｄ／ｍ２≦Ａ２＜６４００ｃｄ／ｍ２になるように電流値を下げる。
【００６５】
以上のように、ＯＮ画素に流す一信号線当たりの電流を同じにしたままで隣接する２つの走査線を同時に走査することで、平均発光輝度を低下させることなく瞬間発光輝度Ａ２を低下させることができ、輝度寿命を向上することができる。
【００６６】
以上のように、走査線の数を減らすだけでなく、２本以上の走査線をセットにして同時に走査させるようにすることもできる。このような方法は、解像度を必要としない画像を表示する際に効果的である。なお、２本以上の各組をそれぞれ同時に走査しても構わない。
【００６７】
（第３実施形態）
本実施形態では、上記各実施形態と異なる部分についてのみ説明する。有機ＥＬ表示装置Ｓ１を構成する有機ＥＬパネル３０は、有機材料で構成されているため、熱に弱く劣化しやすい。そこで、本実施形態では、有機ＥＬパネル３０の温度を測定して有機材料が急激に劣化しやすくなる温度になった場合、走査線の瞬間発光輝度を最低値に下げることにより、有機材料の温度を下げて輝度劣化を防止することが特徴である。
【００６８】
図３は、第３実施形態に係る有機ＥＬ表示装置Ｓ２のブロック構成図である。この図に示されるように、有機ＥＬパネル３０には温度に応じた電圧が生じるサーミスタ３１が備えられ、制御回路４０には温度判定部４５が備えられている。なお、サーミスタ３１は、本発明の温度検出部に相当する。
【００６９】
この温度判定部４５は、サーミスタ３１から有機ＥＬパネル３０の温度に応じた電圧信号が入力されるようになっており、入力された電圧信号を温度に変換する機能を有している。
【００７０】
また、本実施形態では、駆動データ生成部４４は、温度判定部４５から入力される有機ＥＬパネル３０の温度が、−３０℃以上１００℃以下の範囲内であるか否かを判定する。そして、有機ＥＬパネル３０の温度が１００℃を超える場合、Ｍ本またはｍ本の走査線において瞬間発光輝度を最低値にする。
【００７１】
本実施形態で、有機ＥＬパネル３０の温度の上限値を１００℃としているのは、この温度を超えると有機ＥＬが急激に劣化する温度だからである。また、下限値を−３０℃としているが、実際には−３０℃以下でも有機ＥＬは耐えられる。本実施形態では、低温状態で自己発熱することにより、有機ＥＬとしての機能を保証できる温度として下限値を−３０℃としている。
【００７２】
したがって、本実施形態では、上記第１実施形態のように３２００ｃｄ／ｍ２〜６３９９ｃｄ／ｍ２の範囲内で瞬間発光輝度Ａ２を取得する際、温度判定部４５から入力される温度が１００℃を超える場合では、瞬間発光輝度Ａ２を前記範囲内の最低値である３２００ｃｄ／ｍ２に設定する。
【００７３】
これにより、有機ＥＬの発光による温度を低下させ、有機材料の温度を下げることにより、有機ＥＬの輝度劣化の防止を図ることが出来る。
【図面の簡単な説明】
【００７４】
【図１】本発明の第１実施形態に係る有機ＥＬ表示装置のブロック図である。
【図２】画像判定部において、同時に走査する走査線の数を減らす内容を表すフローチャートである。
【図３】第３実施形態に係る有機ＥＬ表示装置のブロック構成図である。
【符号の説明】
【００７５】
１０…電源回路、２０…駆動回路、２１…カラムドライバ、２２…ロウドライバ、３０…有機ＥＬパネル、３１…サーミスタ、４０…制御回路、４１…画像データ受信部、４２…画像メモリ、４３…画像判定部、４４…駆動データ生成部、４５…温度判定部。
【図１】
2007264200.tif 000003
【図２】
2007264200.tif 000004
【図３】
2007264200.tif 000005